(57)【特許請求の範囲】
【請求項１】
巻芯部及び前記巻芯部の両端にそれぞれ設けられた２つの鍔部を有するドラムコアと、
前記巻芯部にバイファイラ巻きされた第１及び第２のワイヤと、
各鍔部の底面に設けられた第１及び第２の端子電極と、
各鍔部に設けられ、前記第１及び第２の端子電極と前記第１及び第２のワイヤとをそれぞれ接続する第１及び第２の接続電極と、
各鍔部の側面に設けられ、前記第１及び第２の端子電極にそれぞれ接続された第１及び第２の側面電極とを備え、
各鍔部の底面の幅方向中央部には凹部が設けられており、
前記第１及び第２の接続電極は前記凹部に設けられており、
前記第１及び第２のワイヤは、同一ターンどうしが互いに密着し且つ隣接ターンどうしが互いに離間するように巻回されており、
前記第１の接続電極に継線された前記第１のワイヤの端末部と前記第２の接続電極に継線された前記第２のワイヤの端末部との間の距離は、前記第１及び第２の端子電極間の距離よりも短く、
前記第１及び第２の端子電極の幅は、前記第１及び第２の側面電極の幅と等しいことを特徴とするコモンモードフィルタ。
【請求項２】
前記第１の端子電極及び前記第１の接続電極は一体化された矩形状の電極パターンであり、
前記第２の端子電極及び前記第２の接続電極は一体化された矩形状の電極パターンであることを特徴とする請求項１に記載のコモンモードフィルタ。
【請求項３】
前記凹部は、前記鍔部の外側側面から内側側面まで貫通する溝であることを特徴とする請求項１又は２に記載のコモンモードフィルタ。
【請求項４】
前記凹部内において前記第１のワイヤの端末部と前記第２のワイヤの端末部との間に設けられた凸部をさらに備えることを特徴とする請求項１乃至３のいずれか一項に記載のコモンモードフィルタ。
【発明の詳細な説明】
【技術分野】
【０００１】
本発明は、コモンモードフィルタに関し、特に、ドラム型コアを用いたコモンモードフィルタの構造に関する。
【背景技術】
【０００２】
高速差動信号インターフェースの一つとしてＨＤＭＩ（High-Definition Multimedia Interface）が知られている。ＨＤＭＩの特性インピーダンスは１００Ωであるため、ＨＤＭＩ用のケーブルやコネクタは１００Ωに整合がとれていることが必要であり、ＨＤＭＩ用コモンモードフィルタも例外ではない。従来のコモンモードフィルタでは、２本のワイヤをバイファイラ巻きすると共に、同一ターンか隣接ターンかによらず全てのターンのワイヤを互いに離間させて線間容量を小さくし、これにより特性インピーダンスを１００Ωに調整する方法が好ましく採用されている。
【０００３】
また、コモンモードフィルタの特性インピーダンスのばらつきを抑えるため、コアの巻芯部に等間隔の溝を設け、ワイヤを溝内に嵌合させる方法が知られている（特許文献１参照）。この方法によれば、ワイヤの位置ずれを防止し、各ワイヤの線間距離を一定に維持することができる。
【０００４】
また、コアの巻芯部に巻回されたワイヤの一部に高分子材料からなる静電容量調整用の樹脂部を設けたコモンモードフィルタも知られている（特許文献２参照）。この構成によれば、コモンモードフィルタの巻芯部に巻回されたペア線材に接着剤が付着し、特性インピーダンスが変動したとしても、樹脂部の付着量を調整することでワイヤ間の分布容量を調整することができ、これにより特性インピーダンスを調整することが可能である。
【先行技術文献】
【特許文献】
【０００５】
【特許文献１】特開２００４−３１１５６０号公報
【特許文献２】特開２００６−１４７７２８号公報
【発明の概要】
【発明が解決しようとする課題】
【０００６】
上述したように、従来のコモンモードフィルタにおいて、各ワイヤ間の距離を離して巻回した場合には、同一ターン間、或いは隣接ターン間でのワイヤの間隔のずれが発生してしまい、特性インピーダンスがばらつくという問題がある。また特許文献１に記載のように、コアの巻芯部に等間隔の溝を設け、ワイヤを溝内に嵌合させた場合には、ワイヤの位置ずれを防止することができるが、ワイヤの間隔が溝の間隔に限定されてしまい、コアの汎用性が著しく低下するだけでなく、溝の加工精度も要求され、製造コストが大幅に増加するという問題がある。また、特許文献２によれば、特性インピーダンスを事後的に調整することは可能であるが、最初からインピーダンス整合が取れていることが望まれている。
【０００７】
本発明は上記課題を解決するためになされたものであり、本発明の目的は、一対のワイヤ間の間隔のずれによる特性インピーダンスのばらつきを抑えることが可能なコモンモードフィルタを提供することにある。
【課題を解決するための手段】
【０００８】
上記課題を解決するため、本発明によるコモンモードフィルタは、巻芯部及び前記巻芯部の両端にそれぞれ設けられた２つの鍔部を有するドラムコアと、前記巻芯部にバイファイラ巻きされた第１及び第２のワイヤと、各鍔部の底面に設けられた第１及び第２の端子電極と、各鍔部に設けられ、前記第１及び第２の端子電極と前記第１及び第２のワイヤとをそれぞれ接続する第１及び第２の接続電極とを備え、各鍔部の底面の幅方向中央部には凹部が設けられており、前記第１及び第２の接続電極は前記凹部に設けられており、前記第１及び第２のワイヤは、同一ターンどうしが互いに密着し且つ隣接ターンどうしが互いに離間するように巻回されており、前記第１の接続電極に継線された前記第１のワイヤの端末部と前記第２の接続電極に継線された前記第２のワイヤの端末部との間の距離は、前記第１及び第２の端子電極間の距離よりも短いことを特徴としている。
【０００９】
本発明によれば、一対のワイヤの同一ターンどうしが互いに密着した状態でバイファイラ巻きされているので、特性インピーダンスのばらつきを抑えることができる。また、一対のワイヤの隣接ターンどうしが互いに離間されているので、線間容量を低減することができ、特性インピーダンスを１００Ωに調整することが可能となる。また、一対のワイヤの端末部どうしを近づけて継線しているので、ワイヤ間隔をワイヤ全長に亘ってできるだけ近づけて配置することができ、特性インピーダンスのばらつきをさらに抑えることができるだけでなく、ディファレンシャルインピーダンスの増加を抑えることができ、また、ワイヤの全長を短くすることができる。
【００１０】
特性インピーダンスＺｉは、ディファレンシャルインピーダンスＺｄと、線間容量Ｃｂとの間にＺｉ＝√（Ｚｄ／Ｃｂ）の関係を有する。特性インピーダンスのばらつきを抑えるためには、各パラメータ（Ｚｄ及びＣｂ）のばらつきを抑えることが望ましい。本発明によれば、一対のワイヤがほぼ密着状態でバイファイラ巻きされているので、Ｚｄに影響する一対のワイヤの同一ターンどうしの距離が最も安定した状態となる。さらに一対のワイヤの線間距離がほぼ一定であるため、線間容量Ｃｂも安定する。このように、各要素Ｚｄ，Ｃｂが安定しているので、特性インピーダンスＺｉのばらつきを最も抑えることができる。ただし、一対のワイヤの同一ターンどうしがほぼ密着巻きであると、Ｚｄが最小レベルとなり、逆に線間容量Ｃｂは最大レベルとなるため、特性インピーダンスＺｉが小さくなる傾向にある。そこで本発明では、一対のワイヤの隣接ターンどうしを離間させ且つ全体の線路長を短くして線間容量Ｃｂを小さくし、これにより特性インピーダンスＺｉｎを大きくし、回路が必要とする所定の特性インピーダンスとの整合を図っている。
【００１１】
さらに、本発明によれば、鍔部の底面に設けた凹部内にワイヤの端末部を配置しているので、一対のワイヤの端末部が底面から突出して実装面と干渉し、不安定な実装状態となることを防止することができ、確実なはんだ付けを実現することができる。また、鍔部の平坦な底面にそのまま継線する場合よりも、プリント基板上のパターンに制約されずに継線を互いに近づけて配置することができる。さらに、熱圧着による継線時に端子電極が劣化してはんだ濡れ性が低下することがないので、コプラナリティの悪化を防止することができ、良好な実装状態を確保することができる。
【００１２】
本発明によるコモンモードフィルタは、各鍔部の側面に設けられた第１及び第２の側面電極をさらに備え、前記第１及び第２の端子電極の幅は、前記第１及び第２の側面電極の幅と等しいことが好ましい。この構成によれば、鍔部の側面にはんだフィレットを形成することができる。また、端子電極と接続電極との境界を明確にすることができ、接続電極内においてワイヤを継線すべき位置を確実に特定することができる。
【００１３】
本発明において、前記凹部は、前記鍔部の外側側面から内側側面まで貫通する溝であることが好ましい。この構成によれば、鍔部の底面に形成された凹部内の端子電極にワイヤの端末部を容易且つ確実に接続することができる。
【００１４】
本発明によるコモンモードフィルタは、前記凹部内において前記第１のワイヤの端末部と前記第２のワイヤの端末部との間に設けられた凸部をさらに備えることが好ましい。この構成によれば、第１及び第２の側面電極の下端部付近の距離が近づき過ぎることを防止することができ、はんだブリッジによるショートを防止することができる。
【発明の効果】
【００１５】
本発明によれば、特性インピーダンスのばらつきが小さくフィルタ特性の良好なコモンモードフィルタを提供することができる。また、本発明によれば、ドラムコアの底面側にワイヤを継線するタイプのコモンモードフィルタにおいて、熱圧着時の端子電極の劣化を防止することができ、はんだ濡れ性の低下及びコプラナリティの悪化を防止することができる。
【図面の簡単な説明】
【００１６】
【図１】本発明の第１の実施形態によるコモンモードフィルタの構成を示す略斜視図である。
【図２】第１の実施形態によるコモンモードフィルタの構成を示す底面図である。
【図３】第１の実施形態によるコモンモードフィルタの構成を示す側面図である。
【図４】本発明の第２の実施形態によるコモンモードフィルタの構成を示す底面図である。
【図５】第２の実施形態によるコモンモードフィルタの構成を示す側面図である。
【発明を実施するための形態】
【００１７】
以下、添付図面を参照しながら、本発明の好ましい実施の形態について詳細に説明する。
【００１８】
図１は、本発明の第１の実施形態によるコモンモードフィルタの構成を示す略斜視図である。また、図２は、このコモンモードフィルタの構成を示す底面図であり、図３は、このコモンモードフィルタの構成を示す側面図である。
【００１９】
図１乃至図３に示すように、本実施形態によるコモンモードフィルタ１は、巻芯部１１及び一対の鍔部１２，１３を有するドラムコア１０と、ドラムコア１０の上部に取り付けられた板状コア２０と、ドラムコア１０の巻芯部１１に巻回された一対のワイヤ１４，１５で構成されている。
【００２０】
ドラムコア１０は、巻芯部１１とその両端部にそれぞれ設けられた鍔部１２，１３とが一体化された構造を有している。巻芯部１１の表面は平坦面であり、ワイヤの巻回位置を規定するための溝や突起は設けられていない。各鍔部１２，１３の底面には２つの端子電極（底面電極）１６Ａ，１６Ｂ及び２つの接続電極１８Ａ，１８Ｂが設けられており、外側の側面には２つの側面電極１７Ａ，１７Ｂが設けられている。なお、鍔部１２，１３の上下方向は図示のＺ軸方向であり、ドラムコア１０のプリント基板への実装状態に基づいて定義される。また、鍔部１２，１３の外側の側面とは、巻芯部１１が結合された面とは反対側の面である。
【００２１】
板状コア２０はドラムコア１０と別体であり、鍔部１２，１３の上面に接着固定されている。これにより、ドラムコア１０及び板状コア２０は一つの閉磁路を構成している。特に限定されるものではないが、ドラムコア１０及び板状コア２０の材料としてはＮｉ−Ｚｎ系フェライトを用いることができる。また、ドラムコア１０及び板状コア２０の透磁率μは３３０〜６３０［Ｈ／ｍ］であることが好ましい。
【００２２】
一対のワイヤ１４，１５は、ドラムコア１０の巻芯部１１にバイファイラ巻きされている。「バイファイラ巻き」とは一対のワイヤを一緒に巻くことによってワイヤ間の磁気結合を向上させる巻回方式のことをいう。特に限定されるものではないが、ワイヤ１４，１５のターン数は共に３〜４ターンであることが好ましい。また、一対のワイヤ１４，１５は、同一ターンどうしが互いに密着し且つ隣接ターンどうしが互いに離間するように巻回されている。一対のワイヤ１４，１５の同一ターンどうしが密着している場合には、ワイヤの位置ずれによる特性インピーダンスのばらつきを抑えることができる。また、隣接ターン間に一定幅の隙間ｄを設けることにより、隣接ターン間における線間容量を低減することができ、これにより特性インピーダンスを例えば１００Ωにすることが可能となる。
【００２３】
一対のワイヤ１４，１５の同一ターンは全長に亘って完全に密着していることが理想的であるが、ワイヤの巻き回わしの難しさから、実際には完全な密着状態は維持されず、部分的に隙間が空いた状態となる。そのため、本明細書において「一対のワイヤどうしが密着している」とは、意図しない非密着状態が部分的に存在することを許容する趣旨である。
【００２４】
差動伝送用のコモンモードフィルタには、伝送ライン上のコモンモードノイズを除去すると共に、信号波形を劣化させずに通過させる機能が求められており、信号波形の劣化は伝送速度が高速になるほど大きい。コモンモードフィルタを通過する信号波形の劣化を防止するためには特性インピーダンスが非常に重要であり、コモンモードフィルタの特性インピーダンスが差動伝送ラインの特性インピーダンスと正確に整合していることが必要となる。
【００２５】
コモンモードフィルタの特性インピーダンスＺｉは、ディファレンシャルインピーダンスＺｄと線間容量ＣｂからＺｉ＝√（Ｚｄ／Ｃｂ）で表される。このことは、２つのパラメータＺｄとＣｂとによって特性インピーダンスＺｉを制御することができることを意味している。
【００２６】
コモンモードフィルタ１は、所定のコモンモードインピーダンスが得られるように設計されており、一対のワイヤ１４，１５の長さの多少の変化によらず概ね一定のコモンモードインピーダンスが確保されている。特に限定されるものではないが、本実施形態によるコモンモードフィルタのターン数は３〜４ターンに設定され、このときのコモンモードインピーダンスは例えば９０±１０Ωに設定される。これにより、コモンモードノイズを除去することができる。
【００２７】
本実施形態によるドラムコア１０のサイズ（長さ×幅×高さ）は例えば２．０×１．２×０．８ｍｍである。ここでドラムコアの長さとは、ドラムコア１０の巻芯部１１の軸方向（図１のＹ方向）のサイズであり、ドラムコア１０の幅とは、Ｙ方向と直交し且つ実装面と平行な方向（図１のＸ方向）のサイズであり、ドラムコア１０の高さとは、Ｘ方向及びＹ方向と直交する方向（図１のＺ方向）のサイズである。また、板状コア２０のサイズ（長さ×幅×高さ）は例えば２．０×１．２×０．４ｍｍである。一方、ワイヤ１４，１５の長さは８〜１２ｍｍ、芯線の直径は０．０３〜０．０５ｍｍ、皮膜の厚みは０．００３〜０．０２６ｍｍであることが好ましい。この構成によれば、特性インピーダンスが１００±１０Ωであるコモンモードフィルタを確実に実現することができる。
【００２８】
端子電極１６Ａ，１６Ｂは共に矩形パターンであり、鍔部１２，１３の底面の幅方向の外側寄りに設けられている。接続電極１８Ａ，１８Ｂも共に矩形パターンであり、鍔部１２，１３の底面であって、端子電極１６Ａ，１６Ｂよりも幅方向の内側に設けられている。鍔部１２，１３の底面の幅方向の中央部には、凹部２１がそれぞれ形成されており、端子電極１６Ａ，１６Ｂはこの凹部２１の左右の外側にそれぞれ設けられ、接続電極１８Ａ，１８Ｂは凹部２１内にそれぞれ設けられている。よって、一対のワイヤ１４，１５の端末部は鍔部１２，１３の底面の凹部２１内に配置されている。凹部２１は、鍔部の外側側面から内側側面まで貫通する溝であることが好ましく、深さが幅よりも小さい浅溝であることがより好ましい。鍔部１２，１３の底面からワイヤ１４，１５が突出することがないよう、凹部２１の深さは、熱圧着によって押しつぶされたワイヤの線径よりも少し大きい程度又はそれ以上であることが好ましい。凹部２１がこのような形状であれば、凹部２１内の端子電極１６Ａ，１６Ｂにワイヤの端末部を容易且つ確実に接続することができる。
【００２９】
側面電極１７Ａ，１７Ｂは鍔部の下端側に形成され、その形状は単純な矩形パターンである。側面電極１７Ａ，１７Ｂは、端子電極１６Ａ，１６Ｂをはんだ接続する際のフィレットを形成するために設けられている。
【００３０】
端子電極１６Ａ，１６Ｂ及び接続電極１８Ａ，１８Ｂは、鍔部の幅方向に対して連続的に形成されているので、端子電極１６Ａ及び接続電極１８Ａは一体化された矩形状の電極パターンであり、端子電極１６Ｂ及び接続電極１８Ｂもまた一体化された矩形状の電極パターンである。よって、両者の境界は外観上明確ではないが、本実施形態においては、側面電極１７Ａ，１７Ｂと同一幅の領域を端子電極１６Ａ，１６Ｂとして定義することができる。
【００３１】
ワイヤ１４の一端は、一方の鍔部１２の接続電極１８Ａに接続され、ワイヤ１４の他端は、他方の鍔部１３の接続電極１８Ｂに接続されている。また、ワイヤ１５の一端は、一方の鍔部１２の接続電極１８Ｂに接続され、ワイヤ１５の他端は、他方の鍔部１３の接続電極１８Ａに接続されている。各ワイヤ１４，１５の端末部は熱圧着等によって継線処理されて、対応する接続電極１８Ａ，１８Ｂに電気的且つ機械的に接続される。確実な接続のため、各ワイヤ１４，１５の端末部は、対応する接続電極の中央部に固定される。ワイヤの先端の向きは巻芯部１１の軸方向と平行である。
【００３２】
各鍔部１２，１３の電極パターンの形状は同一であり、各鍔部１２，１３に形成された一対の端子電極１８Ａ，１８Ｂ、一対の側面電極１７Ａ，１７Ｂ、及び一対の端子電極１６Ａ，１６Ｂの形状はいずれも左右対称な関係を有している。このような電極パターンの対称性により、鍔部１２，１３の形状は同一となり、ドラムコア１０の全体形状も対称性を持つことになる。
【００３３】
上記のように、一対の端子電極１６Ａ，１６Ｂは各鍔部１２，１３の幅方向の外側寄りにそれぞれ設けられており、一対の接続電極１８Ａ，１８Ｂは端子電極１６Ａ，１６Ｂよりも鍔部の幅方向の中央部寄りに設けられている。そのため、図３に示すように、接続電極１８Ａ，１８Ｂにそれぞれ継線された一対のワイヤ１４，１５の端末部間の距離Ｗ１は、ワイヤ１４，１５に対応して各鍔部に設けられた端子電極１６Ａ，１６Ｂ間の距離Ｗ２よりも短い。ここで、端子電極１６Ａ，１６Ｂ間の距離Ｗ２とは、端子電極１６Ａ，１６Ｂ間を分離する絶縁スペースの幅ではなく、端子電極１６Ａの幅方向中央から端子電極１６Ｂの幅方向中央までの距離として定義される。なお、端子電極１６Ａ，１６Ｂと接続電極１８Ａ，１８Ｂとを別々に捉えた場合に限らず、端子電極１６Ａ，１６Ｂと接続電極１８Ａ，１８Ｂとを一体として捉えた場合でも、ワイヤ１４，１５の端末部間の距離Ｗ１が端子電極間の距離Ｗ２よりも短いことに変わりはない。
【００３４】
以上説明したように、本実施形態においては、一対のワイヤ１４，１５の同一ターンどうしが密着した状態でバイファイラ巻きされているので、間隔のずれが生じて特性インピーダンスがばらつくことを抑制できる。また、一対のワイヤ１４，１５の同一ターン間は互いに密着しているが、隣接ターン間には一定幅の隙間ｄが設けられているので、隣接ターン間における線間容量を低減することができ、これにより特性インピーダンスを１００Ωにすることが可能となる。
【００３５】
一対のワイヤ１４，１５の隣接ターン間に隙間ｄが設けられている場合、ワイヤ１４，１５の巻回時又は巻回後に隙間ｄの幅がずれることが考えられる。しかし、同一ターン間の隙間と異なり、特性インピーダンスが大きく変動することはない。同一ターン間に隙間を設けた場合には、隙間の幅のわずかな変動によって特性インピーダンスが大きく変動するが、隣接ターン間ではこのような問題が少ないので、線間容量の変動を抑制して安定した特性インピーダンスを得ることができる。
【００３６】
上記のように、特性インピーダンスは、Ｚｉ＝√（Ｚｄ／Ｃｂ）であらわされる。一対のワイヤ１４，１５の同一ターンどうしを互いに密着させてバイファイラ巻きした場合には、それらを離間して巻回した場合よりもディファレンシャルインピーダンスＺｄが低下するため、特性インピーダンスが低下する。低下した特性インピーダンスを高くするために、隣接ターン間における線間容量Ｃｂを低減することに加え、ワイヤ１４，１５の全長を短くすることで線間容量Ｃｂを減らして調整することができる。ワイヤ１４，１５の全長はばらつき要因とはなり難いため、ワイヤ１４，１５の全長によって特性インピーダンスＺｉを調整することで、特性インピーダンスのばらつきの少ないコモンモードフィルタを得ることができる。特に、本実施形態においては、接続電極１８Ａ，１８Ｂを鍔部１２，１３の幅方向の中央部寄りに設け、一対のワイヤ１４，１５間の継線位置を近づけているので、鍔部１２，１３の幅方向の外側寄りに継線した場合に比べて、ワイヤ１４，１５の全長を短くすることができる。したがって、特性インピーダンスの低下を補完することができ、１００Ωの特性インピーダンスを確保することができる。
【００３７】
ワイヤ１４，１５の端末部を鍔部１２，１３の幅方向の外側寄りに継線する場合、２本のワイヤの端末部が互いに遠ざかる方向に分離して進行するので、線間容量が不安定となり、特性インピーダンスが大きくばらつく要因となる。しかし、本実施形態においては、接続電極１８Ａ，１８Ｂは鍔部１２，１３の幅方向の中央部寄りに設けられており、一対のワイヤ１４，１５間の継線位置が近いので、特性インピーダンスのばらつきをさらに抑えることができると共にディファレンシャルインピーダンスの増加を抑えることができる。
【００３８】
ワイヤ１４，１５の端末部は、接続電極１８Ａ，１８Ｂの表面に熱圧着されているため、接続電極１８Ａ，１８Ｂの表面よりも下方に突出している。しかし図示のように、接続電極１８Ａ，１８Ｂが各鍔部１２，１３の底面に形成された凹部２１内に設けられ、ワイヤ１４，１５の端末部がこの接続電極１８Ａ，１８Ｂにそれぞれ継線されている場合には、ワイヤ１４，１５の影響による実装面のがたつきを解消することができ、確実なはんだ付けが可能である。
【００３９】
図４は、本発明の第２の実施形態によるコモンモードフィルタの構成を示す底面図であり、図５はこのコモンモードフィルタの構成を示す側面図である。
【００４０】
図４及び図５に示すように、本実施形態によるコモンモードフィルタ２は、凹部２１の幅方向中央部であって、ワイヤ１４の継線部とワイヤ１５の継線部との間に凸部２２が設けられていることを特徴としている。凸部２２はワイヤ１４，１５の端末部間を絶縁分離するために設けられている。そのため、この凸部の表面は絶縁領域であり、電極パターンは形成されていない。凸部の平面形状は特に限定されず、矩形状であってもよく、円形であってもよい。また、複数の凸部で構成されていてもよい。実装面に対する干渉を回避するため、凹部２１内の底面から見た凸部２２の高さは、端子電極１６Ａ，１６Ｂの表面の高さと同一又はそれ以下であることが必要である。この構成によれば、上述した第１の実施形態と同様の効果が得られる他、ワイヤ１４，１５の位置決めが容易であるため、ワイヤ１４，１５を確実に継線することができる。
【００４１】
本発明は、以上の実施形態に限定されることなく、本発明の趣旨を逸脱しない範囲で種々の変更を加えることが可能であり、それらも本発明に包含されるものであることは言うまでもない。
【００４２】
例えば、上記各実施形態によるコモンモードフィルタは、ドラムコア１０と板状コア２０とを組み合わせた構成であるが、板状コア２０を省略し、ドラムコア１０だけで構成してもよい。また鍔部１２，１３上の電極パターンの形状も特に限定されず、本発明の趣旨を逸脱しない範囲で任意の形状を採用することができる。
【符号の説明】
【００４３】
１，２    コモンモードフィルタ
１０    ドラムコア
１１    巻芯部
１２，１３    鍔部
１４，１５    ワイヤ
１６Ａ，１６Ｂ    端子電極
１７Ａ，１７Ｂ    側面電極
１８Ａ，１８Ｂ    接続電極
２０    板状コア
２１    凹部
２２    凸部
ｄ    一対のワイヤの隣接ターン間の隙間
Ｗ１    ワイヤの端末部間の距離
Ｗ２    端子電極間の距離
【図１】
0005234060.tif 000002
【図２】
0005234060.tif 000003
【図３】
0005234060.tif 000004
【図４】
0005234060.tif 000005
【図５】
0005234060.tif 000006